(57)【特許請求の範囲】
【請求項１】
下方床面上に格子状に配列される支持脚と、
互いに隣接する前記支持脚間の距離に等しい一辺の長さを有する正方形の平面形状を有し、四隅を前記支持脚に組み付けられて上方床面を形成する複数の床パネルと、
前記床パネル間に形成された配線用の溝にして、該床パネルの平面形状の一辺の長さに等しい幅長さを有する溝の上部開口を塞ぐべく、四隅を前記支持脚に支持されて上方床面を形成する複数のカバーパネルと、
を備える二重床において、
少なくとも一部の前記カバーパネルが、前記床パネルの平面形状の一辺の長さに等しい幅長さと、前記支持脚をまたいで延びる長手方向長さとを有する長方形の平面形状を有しており、
前記カバーパネルの四隅を前記支持脚に支持させたときに該カバーパネルがその長辺側にて中間の前記支持脚と接触しないよう、長手方向に沿って上方に凸となるように湾曲しており、
前記カバーパネルの側縁に横方向突起が形成されており、該横方向突起が、前記カバーパネルどうしを隣接させたときに相手側のカバーパネルの横方向突起と当接しないように、
前記カバーパネルの前記側縁で該カバーパネルの中心軸に関して非対称の位置に設けられていることを特徴とする、二重床。
【請求項２】
請求項１に記載の二重床であって、前記カバーパネルの前記側縁に配線取り出し用の切り欠きが形成されており、該切り欠きが、前記カバーパネルの中心軸から外れた位置に設けられていることを特徴とする、二重床。
【発明の詳細な説明】
【０００１】
【発明の属する技術分野】
本発明は、溝配線方式を採用した二重床の構造に関する。
【０００２】
【従来の技術】
下方床面上に複数の支持脚を格子状に配列し、その格子の一つひとつに正方形の床パネルを組み付けて上方床面を形成させた二重床構造は公知である。例えば、１２本の格子状に配列された支持脚に９枚の床パネルを組み付けたものを一つの正方形の二重床ユニットとして取り扱うことができる。このような二重床ユニットを、格子状配列の支持脚間距離に等しい距離だけ離して互いに隣接させ、コーナーどうしを連結部材によって相互に連結することもできる。かかる場合、ユニット間には、支持脚間距離、すなわち、床パネルの一辺の長さに等しい幅長さを有する溝が形成される。この溝は、大量の配線を通すことができる配線用溝として使用することができる。必要であれば、二重床ユニットを構成する床パネルを一列以上取り除き、追加の配線用溝を形成してもよい。
【０００３】
配線用溝は、カバーパネルによって塞がれる。カバーパネルには、隣接する二重床ユニットの相対するコーナーどうしの間の溝部分を塞ぐための正方形（床パネルと同じ大きさの平面形状）のものと、隣接する二重床ユニットの相対する側部どうしの間の溝部分を塞ぐための長方形のものとがある。長方形のカバーパネルは、床パネルの一辺と同じ幅長さを有するが、その長手方向長さは、上述の二重床ユニットの場合でいえば、床パネルの３倍となる。したがって、長方形のカバーパネルは、左右合計で８本の支持脚にわたって延びることになる。
【０００４】
【発明が解決しようとする課題】
施工時に長方形のカバーパネルをこれら８本すべての支持脚に支持させることは難しい。支持脚が下方床面の不陸の影響を受けるため、８本の支持脚の上端が同一平面内にないことが多いからである。したがって、長方形のカバーパネルを設置するときには、どの支持脚によって主に支持されるかはカバーパネルごとにまちまちであり、調整作業の手間がかかっていた。しかも、ある程度のガタツキが生じることはやむを得ないとされていた。
【０００５】
そこで本発明が解決しようとする課題は、施工時における長方形カバーパネルの取り付けを容易にし、しかも該カバーパネルのガタツキを防止することにある。
【０００６】
【課題を解決するための手段】
上記課題を解決するため、本発明によれば、
下方床面上に格子状に配列される支持脚と、
互いに隣接する前記支持脚間の距離に等しい一辺の長さを有する正方形の平面形状を有し、四隅を前記支持脚に組み付けられて上方床面を形成する複数の床パネルと、
前記床パネル間に形成された配線用の溝にして、該床パネルの平面形状の一辺の長さに等しい幅長さを有する溝の上部開口を塞ぐべく、四隅を前記支持脚に支持されて上方床面を形成する複数のカバーパネルと、
を備える二重床において、
少なくとも一部の前記カバーパネルが、前記床パネルの平面形状の一辺の長さに等しい幅長さと、前記支持脚をまたいで延びる長手方向長さとを有する長方形の平面形状を有しており、
前記カバーパネルの四隅を前記支持脚に支持させたときに該カバーパネルがその長辺側にて中間の前記支持脚と接触しないよう、長手方向に沿って上方に凸となるように湾曲していることを特徴とする、二重床が提供される。
【０００７】
前記カバーパネルの側縁に横方向突起が形成される場合において、該横方向突起を、前記カバーパネルどうしを隣接させたときに相手側のカバーパネルの横方向突起と当接しない位置に設けることができる。
【０００８】
前記カバーパネルの前記側縁に配線取り出し用の切り欠きが形成される場合において、該切り欠きを、前記カバーパネルの中心軸から外れた位置に設けることができる。
【０００９】
【実施の形態】
図１に、本発明の二重床に用いる長方形のカバーパネル１を支持脚２とともに示す。図２には、長方形のカバーパネル１をさらに拡大して示す。
【００１０】
本発明が適用される基本的な二重床の構造を説明するために、図３および図４を参照する。図３に示すように、二重床は、支持脚２を下方床面上に格子状に配列し、その格子の一つひとつに正方形の床パネル３を組み付けて上方床面を形成させるようにして構成される。図３では、１２本の支持脚２と、これに組み付けられた９枚の床パネル３とでひとつの正方形の二重床ユニット４を構成している。下方床面の不陸に対応して支持脚２間の上下方向相対移動を許容とするとともに、ユニットとしての一体性を保持できるよう、互いに隣接する支持脚２どうしは可撓性のバー部材５によって互いに結合されている。
【００１１】
このような二重床ユニット４を複数用意し、格子状配列の支持脚２間距離に等しい距離だけ離して互いに隣接させ、コーナーどうしを連結部材６によって相互に連結する。このようにして、所望の広さの二重床構造を得ることができる。ユニット４間には、支持脚２間の距離（これは床パネル３の一辺の長さに等しい）と同じ幅長さを有する溝７が形成される。この溝７は、前述したように、大量の配線を通すことができる配線用溝として使用することができる。かかる配線用の溝７の上部開口は、長方形のカバーパネル１および正方形のカバーパネル８によって塞がれる。カバーパネル８は、床パネル３と同じ大きさの平面形状を有する。配線用溝７をもっと増やす必要があれば、図４に示すように、床パネル３を一列以上取り除き、そこにカバーパネル１、８を設置すればよい。
【００１２】
長方形のカバーパネル１は、幅は床パネル３や正方形のカバーパネル８の一辺と同じ長さであるが、長手方向長さはその３倍となる。したがって、長方形のカバーパネル１の短辺に対しては２本の支持脚、長辺に対しては４本の支持脚２が存在することになる。換言すれば、長方形のカバーパネル１は、左右合計で８本の支持脚２にわたって延びていることになる。
【００１３】
図１（ｂ）においてやや誇張して表現したように、長方形のカバーパネル１は、長手方向に沿って上方に凸となるように湾曲している。この湾曲は、施工後のカーペットに湾曲の跡が表れないよう、なだらかな湾曲である。この湾曲により、カバーパネル１は、施工時に四隅にて支持脚２に支持され、またいだ中間の４本の支持脚２の上面には接触しない。したがって、下方床面の不陸の影響で各支持脚２が多少上下していても、施工者は長方形のカバーパネル１を四隅においてのみ支持脚２に支持させることに留意すればよい。
【００１４】
カバーパネル１は、配線用溝７の上部開口を塞ぐために後から設置されるものであるため、施工しやすいよう、若干小さめに作られる。それゆえに隣接するパネルとの間に形成される隙間がもたらす横方向のずれを防止するため、図２に示すように長方形のカバーパネル１の四方の側縁には横方向突起９が形成されている。図５（ａ）におけるような標準施工の場合には、カバーパネル１の横方向突起９が床パネル３の平坦な側縁に当接して横ずれを防止する。
【００１５】
しかしながら、図５（ｂ）の施工例のように、床パネル３がカバーパネル１に置き換えられた場合には、懸念される問題がある。横方向突起９がカバーパネル１の左右の側縁で中心軸に関して対称の位置に設けられていると、隣接するカバーパネル１の横方向突起９どうしが干渉しあうことになるのである。かかる事態が起こることを考慮してカバーパネル１の幅寸法を小さめに定めるとすれば、カバーパネル１間に形成される隙間は大きくなり、上に乗せるカーペット等の表面に跡が付くようになる。
【００１６】
このような問題を解決するため、本発明の二重床における長方形カバーパネル１に形成される横方向突起９は、その設けられる位置に特徴がある。すなわち、互いに隣接するカバーパネル１の対向する側縁に設けられる横方向突起９が、相手側のカバーパネル１の横方向突起９と当接しない位置に設けられているのである。換言すれば、横方向突起９が、カバーパネル１の左右の側縁で中心軸に関して非対称の位置に設けられているのである。こうすることにより、図５（ｂ）のようなカバーパネル１どうしが隣接するような施工例の場合に、カバーパネル１の横方向突起９は、隣接するカバーパネル１の平坦な側縁に当接して有効な横ずれ防止機能を発揮するとともに、施工時の便宜のためのパネル間の隙間を必要最小限の大きさで確保することができる。
【００１７】
また、横方向突起９間で寸法管理を行うことが可能である。特に、支持脚とカバーパネルとが接触する際の音鳴りや、カバーパネルが横ずれを起こして隣接するパネルと接触する際の音鳴りを防止する為に厚い（膜厚が厚い）樹脂コーティング処理を行う場合には、辺全体の寸法管理よりも容易に管理を行うことができる。さらに、寸法調整を行う場合でも、横方向突起９の寸法を変更するだけで対応が可能となるため、金型の修正も容易である。
【００１８】
カバーパネル１、８の側縁には、配線取り出し用の切り欠きを設ける必要がある。図６（ａ）に示すように、従来のカバーパネル１’、８’においては、かかる切り欠き１０’はカバーパネルの中心軸上の位置に設けられていた。しかしながら、この位置はカバーパネルが垂直荷重を受けたときに最大曲げモーメントが発生する場所である。したがって、この切り欠きを有する脆弱な箇所が最大曲げモーメントに耐え得る強度を有するよう、カバーパネルが設計されなければならない。このため、補強用ビード１１’を形成する必要がある。
【００１９】
本発明の二重床におけるカバーパネル１、８では、配線取り出し用の切り欠き１０を、カバーパネル１、８の中心軸から外れた位置に設けている。したがって、従来のカバーパネル１’、８’に比べて強度的に有利になるため、カバーパネル１、８の板厚を減少させたり、補強用ビード１１を最小限の大きさにすることができる。補強用ビード１１を小さくすると、上に乗せるカーペットの表面に凹部の跡が浮き出ることが少なくなり、外見上も好ましい。
【００２０】
【発明の効果】
本発明の二重床においては、長手方向に沿って上方に凸となった長方形のカバーパネルが、施工時に四隅にて支持脚に支持され、中間の支持脚には接触しないので、容易かつ短時間で取り付けを行うことができる。また、ガタツキもない。
【００２１】
施工時の便宜のためのパネル間の隙間を確保しつつ施工後のパネルのずれを防止するため、カバーパネルの側縁の互いに当接しない位置に横方向突起を設けた場合には、カバーパネルどうしが隣接する配置であっても該横方向突起どうしの干渉を避けることができるので、パネル間の隙間を必要最小限の大きさにすることができる。また、横方向突起間で寸法管理ができるので、特に寸法安定性の劣る樹脂コーティング処理を行う場合には、辺全体の寸法管理をよりも容易に管理を行うことができる。寸法調整を行う場合でも、横方向突起の寸法を変更するだけで対応が可能となるため、金型の修正も容易である。
【００２２】
カバーパネルの側縁にて、該カバーパネルの中心軸から外れた位置に配線取り出し用の切り欠きを設けた場合には、垂直荷重により最大曲げモーメントが発生する箇所から切り欠きが外れるため、強度的に有利になる。したがって、カバーパネルの板厚を減少させたり、補強用ビードを最小限の大きさにすることができる。
【図面の簡単な説明】
【図１】（ａ）は本発明の二重床に用いる長方形のカバーパネルの一実施例を支持脚とともに示す平面図。（ｂ）は同じく側断面図。
【図２】（ａ）は図１におけるカバーパネルの拡大平面図。（ｂ）は同じく側断面図。（ｃ）は端面図。
【図３】二重床ユニットおよびカバーパネルを連結部材とともに示す斜示図。
【図４】カバーパネルのさまざまな設置パターンを示すための、二重床の平面図であり、二重床ユニットどうしの連結部分で一部のカバーパネルを破断して連結部材を見せている。
【図５】（ａ）は標準施工における床パネルとカバーパネルとの配置例を示す平面図。（ｂ）は床パネルをカバーパネルに置き換えた施工例における配置を示す平面図。
【図６】（ａ）は中心軸上に切り欠きを有する従来のカバーパネルの平面図。（ｂ）は中心軸から外れた位置に切り欠きを有する、本願発明の二重床に用いられるカバーパネルの一実施例の平面図。
【符号の説明】
１  カバーパネル、２  支持脚、３  床パネル、４  二重床ユニット、５  バー部材、６  連結部材、７  溝、８  カバーパネル、９  横方向突起、１０  切り欠き、１１  補強用ビード。
【図１】
0003995805.tif 000002
【図２】
0003995805.tif 000003
【図３】
0003995805.tif 000004
【図４】
0003995805.tif 000005
【図５】
0003995805.tif 000006
【図６】
0003995805.tif 000007